(57)【要約】【課題】能動アンテナ構成の放射パターンを測定するための装置を提供する。【解決手段】能動アンテナ構成は、互いに通信状態にある専用アンテナ要素を有する１つ又はそれ以上の無線機を含む。この装置は、能動アンテナ構成の外部にある共通モジュールと、同じく能動アンテナ構成の外部にあり、共通モジュールに連結された較正無線機とを有する。共通モジュールは、送信／受信ユニットと、共通モジュールを能動アンテナ構成、較正無線機、及びネットワーク・ノードにインターフェース接続するためのインターフェース手段とを含む。共通モジュールは、能動アンテナ構成から受信される信号を測定するための測定デバイスをさらに含む。【選択図】図２
2013530381.tif 000002
【特許請求の範囲】
【請求項１】
互いに通信状態にある専用アンテナ要素を有する１つ又はそれ以上の無線機を含む能動アンテナ構成の放射パターンを測定するための装置であって、前記装置は、
前記能動アンテナ構成の外部にある共通モジュールと、
前記能動アンテナ構成の外部にあり、前記共通モジュールに連結された較正無線機と、
を備え、
前記共通モジュールは、
送信／受信ユニットと、
前記共通モジュールを前記能動アンテナ構成、前記較正無線機、及びネットワーク・ノードにインターフェース接続するためのインターフェース手段と、
前記能動アンテナ構成から受信される信号を測定するための測定デバイスと、
を含むことを特徴とする装置。
【請求項２】
前記測定デバイスは、前記較正無線機による送信用の試験信号を生成するための信号生成器を含むことを特徴とする、請求項１に記載の装置。
【請求項３】
前記測定デバイスは、前記能動アンテナ構成により送信され、前記較正無線機により受信される２つの試験信号を比較するための比較器を含むことを特徴とする、請求項１又は２に記載の装置。
【請求項４】
前記比較器は、少なくとも２つの専用アンテナ要素から受信される信号の相対位相及び相対電力を比較するようにさらに適合されることを特徴とする、請求項３に記載の装置。
【請求項５】
前記測定デバイスは、前記能動アンテナ構成により送信される信号を複製し、その振幅及び位相を調節するためのデータ複製デバイスを含むことを特徴とする、請求項１乃至４のいずれかに記載の装置。
【請求項６】
測定システムであって、
互いに通信状態にある専用アンテナ要素を有する１つ又はそれ以上の無線機を含む能動アンテナ構成と、
前記アンテナ構成の放射パターンを測定するための装置と
を含み、前記装置は、
前記能動アンテナ構成の外部にある共通モジュールと、
前記能動アンテナ構成の外部にあり、前記共通モジュールに連結された較正無線機と、
を含み、
前記共通モジュールは、
送信／受信ユニットと、
前記能動アンテナ構成、前記較正無線機、及びネットワーク・ノードにインターフェース接続するためのインターフェース手段と、
前記能動アンテナ構成から受信される信号を測定するための測定デバイスと、
を含むことを特徴とする測定システム。
【請求項７】
互いに通信状態にある専用アンテナ要素を有する１つ又はそれ以上の無線機を含む能動アンテナ構成の放射パターンを測定する方法であって、
外部の共通モジュールを前記能動アンテナ構成、較正無線機、及びネットワーク・ノードにインターフェース接続するステップと、
前記共通モジュールを用いて前記能動アンテナ構成から受信される信号を測定するステップと、
前記測定された信号を処理して前記放射パターンを取得するステップと、
を含むことを特徴とする方法。
【請求項８】
前記共通モジュールを外部の近傍界測定デバイスに連結するステップをさらに含むことを特徴とする、請求項７に記載の方法。
【請求項９】
前記処理するステップは、前記ネットワーク・ノードにおいて行われることを特徴とする、請求項７又は８に記載の方法。
【発明の詳細な説明】
【技術分野】
【０００１】
本発明は、一般に、能動アンテナ構成の放射パターンを測定するための装置に関する。より具体的には、本発明は、近傍界測定法を用いた能動アンテナ構成の放射パターンの測定に関する。
【背景技術】
【０００２】
無線通信システムにおいて、各々が無線機ごとの少数のアンテナ要素のみに直接接続されている、共通の信号に関連付けられた幾つかの協調無線機が一緒に動作するとき、大きなアンテナ・アレイが形成される。このアンテナ・アレイが有するべき最適な放射パターン及び感度が存在する。
【０００３】
アンテナ要素が無線機に接続されていないときに、１つの無線機に特有の少数のアンテナ要素の放射パターンを個別に容易に測定することができる。近傍界又は遠方界アンテナ測定システムのいずれを用いることもできる。しかしながら、能動アンテナによる最も重要な性能の改善は、無線機及び個々のアンテナ要素が大きなアレイについての共通の照射関数を形成するときに、これらによって一緒に形成されるフェーズド・アレイ全体からもたらされるため、ユーザ・レベル又はセル・レベルで放射パターンを最適化する必要があるときに、この測定システムは十分ではない。能動アンテナ構成全体の性能及び機能は、開発においても製品においても、単一体として測定及び検証されなければならない。
【０００４】
アンテナ放射パターン測定のための２つの主要な既知のカテゴリー：即ち、近傍界測定（ｎｅａｒ  ｆｉｅｌｄ  ｍｅａｓｕｒｅｍｅｎｔ）及び遠方界測定（ｆａｒ  ｆｉｅｌｄ  ｍｅａｓｕｒｅｍｅｎｔ）が存在する。
【０００５】
近傍界測定は、アンテナ周囲のいずれかの閉じた面においてアンテナの照射関数が測定されたときに、任意のアンテナの放射パターンを計算することができるという事実に基づいている。これには、十分な数の点における相対電力及び相対位相を測定することが必要であり、測定された照射関数の点について離散フーリエ変換（ＤＦＴ）が計算されたとき、その結果、測定された照射関数に対する相対的な解像度を有する放射パターンが与えられる。この背後にある理論は周知であり、球面座標、円筒座標又はデカルト座標のいずれかにおいて照射関数を測定することができる幾つかの商用デバイスが存在する。いずれかの基本座標面を用いることにより、ＤＦＴ計算が簡単化される。近傍界測定システムは、屋内に容易に適合し、外部の干渉から容易に隔離可能であり、典型的には、遠方界測定システムと比較して低価格である。加えて、近傍界システムのための無響室の反射レベルは、遠方界試験システムのための無響室の反射レベルより著しく高くすることができる。これは、参照アンテナ（ｒｅｆｅｒｅｎｃｅ  ａｎｔｅｎｎａ）と試験対象のアンテナ（ａｎｔｅｎｎａ  ｕｎｄｅｒ  ｔｅｓｔ）との間の減衰量が小さく、その結果、反射によりもたらされる誤差がより小さいからである。
【０００６】
典型的な近傍界測定システムは、走査を舵取りし、典型的にはネットワーク・アナライザである、位相及び電力の測定を行う商用の試験機器にインターフェース接続する、制御ユニットと、機械的、又は、電気機械結合の走査システムとを有する。制御ユニットはまた、測定結果のＤＦＴを計算することによって、放射パターンを解明する。制御ユニットから走査システムへのインターフェースは、典型的には専用のものであるが、試験機器からのインターフェースは、典型的にはＩＥＥＥ４８８であり、又はより一般的にはイーサネットである。
【０００７】
図１は、軸の１つの周りの電気走査による周知の近傍界システムを示す。電気スキャナは、その１つ又はそれ以上をスイッチにより選択し、ネットワーク・アナライザの１つの試験ポートに接続することができる「内向き」アンテナ・リングより複雑なものではない。各々のアンテナは、個々の測定点に相当する。他方の試験ポートは、試験対象アンテナに接続される。これで、ネットワーク・アナライザは、各点における相対位相及び相対電力の両方を測定することができる。横断方向におけるスキャナ・リングの動きは、スキャナ・リングの中心点にある試験対象アンテナを回転させる回転装置、又は、試験対象アンテナをリングのＺ軸に沿って動かす直線アクチュエータによって行われる。
【０００８】
遠方界測定は、アンテナの放射パターンを見出す伝統的な方法である。参照アンテナを用いて相対受信電力のみを測定するには十分なものであり、位置決めシステムも非常に簡単である。遠方界測定に関連する問題は、試験対象アンテナと参照アンテナとの間の距離Ｒが、試験対象アンテナの遠方界限界値より大きくなければならないことである。即ち、
Ｒ＝２ｄ2／λ
であり、ここで、
ｄ＝アンテナの最大寸法
λ＝波長
である。
【０００９】
遠方界限界値は、典型的な通信アンテナに関して、従って、同様に典型的な能動アンテナに関しても、約２０ｍから４０ｍまでであり得る。
【００１０】
その結果、遠方界範囲（ｆａｒ  ｆｉｅｌｄ  ｒａｎｇｅ）は、典型的には屋外の範囲であり、参照アンテナと試験対象アンテナとの間の距離は、典型的には、５０メートルから数百メートルまで様々である。屋外にある遠方界範囲は、悪天候条件により屋外試験範囲の使用が制限される問題に加えて、通信ネットワークがアンテナの測定を妨げること又はアンテナの測定により妨げられることがあるため、今日では稀な機能となりつつある。無響室が遠方界限界値より長いか、又は、特別な大きな鏡を用いて放射線ビームを折り畳んで遠方界条件がより短距離で達成されるようにした場合にのみ、遠方界アンテナ試験範囲を屋内条件に定めることが可能である。無響室は、その短縮された距離の長さのほぼ半分でなければならない。しかしながら、これらの選択肢は、典型的には非常に費用がかかるものである。無響室は大きくて製造に莫大な費用がかかり、大きくて製造が難しい鏡の費用も付加する必要がある。
【００１１】
従って、能動アンテナに関しては、近傍界測定が好ましい選択肢である。問題は、任意の通信能動アンテナの信号の相対電力及び相対位相の両方を測定するための既存の機器又は方法がないことである。通信無線機の変調信号を検出すること、又は通信無線機が検出できるように変調信号を通信無線機に送ることができる、利用可能な試験機器は存在しない。この利用可能な試験機器を用いて相対電力を測定することはできるが、位相を測定するための手段はなく、従って、近傍界測定を行うことはできない。電力及び位相の両方を測定することができる唯一の商用の試験機器は、ネットワーク・アナライザである。しかしながら、能動アンテナを測定するためにこの機器を用いることは不可能である。
【発明の概要】
【発明が解決しようとする課題】
【００１２】
従って、能動アンテナの近傍界放射パターンを測定するための有効な解決法が必要である。
【課題を解決するための手段】
【００１３】
従って、本発明は、各々が１つ又はそれ以上の放射する専用アンテナ要素に連結された１つ又はそれ以上の無線機を含むことができる能動アンテナ構成の放射パターンを測定するための装置を提供する。この装置は、能動アンテナの外部にある共通モジュールと、同じく能動アンテナの外部にあり、共通モジュールに連結された較正無線機とを含む。共通モジュールは、位相及び振幅較正信号送信／受信ユニットと、共通モジュールを能動アンテナ構成、較正無線機、及びネットワーク・ノードにインターフェース接続するインターフェース手段とを有する。さらに、共通モジュールは、能動アンテナ構成から受信した較正信号を測定するための測定デバイスを含む。
【００１４】
試験対象の能動アンテナ構成は、能動アンテナ構成（能動アンテナ構成内に含まれる１つ又はそれ以上の無線機に連結されたアンテナ）から受信した信号を測定する共通モジュールとインターフェース接続する。次いで、測定された信号を処理して、能動アンテナ構成により生成される放射パターンを取得する。この装置により、共通モジュールは、能動アンテナ構成の外部にあり、かつ、能動アンテナ構成において受信され又は能動アンテナ構成によって送信されるＲＦ信号のデジタルＩＱデータ・イメージを伝達するインターフェースを用いて、試験対象の能動アンテナ構成に接続可能である。
【００１５】
測定デバイスは、較正無線機による送信用の試験信号を生成するための信号生成器を含むことができる。信号生成器は、能動アンテナ構成（能動アンテナの内部に設けられた無線機）又は較正無線機により送信される適切な試験信号ベクトルを生成することができる。
【００１６】
測定デバイスは、能動アンテナ構成により送信され、較正無線機により受信された２つの試験信号を比較するための比較器をさらに含むことができる。例えば、比較器は、能動アンテナ無線機により送信され、較正無線機により受信される、少なくとも２つの試験信号を一度に比較することができる。
【００１７】
比較器は、能動アンテナ構成内に設けられた少なくとも２つの無線機により受信される信号の相対位相及び相対電力を比較するようにさらに適合されることが好ましい。
【００１８】
有利なことに、測定デバイスは、能動アンテナ構成により送信される信号を複製し、その振幅及び位相を調節するためのデータ複製デバイスを含むことができる。能動アンテナごとのダウンリンク・データ・ストリームを、データ複製デバイスにより複製することができる。さらに、データ複製デバイスは、各々の能動アンテナからの複製されたダウンリンク・データ・ストリームの振幅及び位相を個々に調節することができる。
【００１９】
本発明はまた、互いに通信状態にある専用アンテナ要素を備えた１つ又はそれ以上の無線機を有するアンテナ構成を含む測定システムを提供する。測定システムはまた、アンテナ構成の放射パターンを測定するための装置を有する。装置は、能動アンテナ構成の外部にある共通モジュールと、能動アンテナ構成の外部にあり、共通モジュールに連結された較正無線機とを含む。共通モジュールは、送信／受信ユニットと、能動アンテナ構成、較正無線機、及びネットワーク・ノードにインターフェース接続するためのインターフェース手段と、能動アンテナ構成から受信される信号を測定するための測定デバイスとを含む。
【００２０】
本発明は、互いに通信状態にある専用アンテナ要素を有する１つ又はそれ以上の無線機を含む能動アンテナ構成の放射パターンを測定する方法をさらに提供する。この方法は、外部の共通モジュールを能動アンテナ構成、較正無線機、及びネットワーク・ノードにインターフェース接続することと、共通モジュールを用いて能動アンテナ構成から受信される信号を測定することと、測定された信号を処理して放射パターンを取得することとを含む。
【００２１】
方法は、共通モジュールを外部の近傍界測定デバイスに連結することをさらに含むことが好ましい。
【００２２】
ここで、本発明を、例示のみの目的で、特定の実施形態及び添付の図面を参照しながら説明する。
【図面の簡単な説明】
【００２３】
【図１】アンテナ構成の放射パターンを測定するための従来の装置を示す。
【図２】本発明の実施形態による、アンテナ構成の放射パターンを測定するための装置の簡単化された概略図である。
【図３】本発明の実施形態による、アンテナ構成の放射パターンを測定するための装置を含む通信システムの簡単化された概略図である。
【発明を実施するための形態】
【００２４】
図２は、本発明による、試験対象の能動アンテナ構成Ａの放射パターンを測定するための測定装置を示す。能動アンテナ構成は、互いに通信状態にある専用アンテナ要素を有する個々の無線機を含む。
【００２５】
測定装置は、共通モジュールＣＭと、較正無線機Ｒｃａｌと、較正プローブ：即ち、アンテナとを含む。能動アンテナ構成Ａ内部の較正アンテナを、あらゆる個々の能動アンテナ無線機から較正無線機Ｒｃａｌへの物理的フィードバックを調整するための他の手段に置き換えることができる。
【００２６】
較正無線機Ｒｃａｌは、アップリンク周波数とダウンリンク周波数が逆になった、変更されたＢＴＳ無線機としてもよく、又は、共通モジュールＣＭへの接続を可能にするインターフェースを有する変更された携帯電話無線機としてもよい。較正無線機Ｒｃａｌに接続されたアンテナは、近傍界測定システムの参照アンテナに相当する。
【００２７】
共通モジュールＣＭは、１つ１つの能動アンテナ無線機（Ｒ１−Ｒｎ）をインターフェ接続し、これらの間のインターフェースを調整するための、広範囲にわたって設定可能なマルチプレクサ・デマルチプレクサ・スイッチａ）と、Ｒｃａｌと、ＢＴＳの基底帯域処理ユニットとを含む。スイッチａ）は、デジタル同期シリアル・インターフェースＩ、例えば、ＯＢＳＡＩ  ＲＰ３−０１及びＣＰＲＩバスの間で切り換えることができ、これらは、こうした同期シリアル・インターフェースについての最も良く知られている産業上の選択肢である。しかしながら、他のシリアル・インターフェースを用いることもできる。
【００２８】
共通モジュールＣＭはまた、個々の能動アンテナ無線機又はＲｃａｌにより送信される適切な試験信号ベクトルを生成するための信号生成器ｂ）も含む。少なくとも２つの能動アンテナ無線機により受信される相対位相及び相対電力を一度に比較するための第１の比較器ｃ）と、能動アンテナ無線機により送信され、Ｒｃａｌにより受信される少なくとも２つの試験信号を一度に比較するための第２の比較器ｄ）とが、共通モジュールＣＭ内に設けられる。
【００２９】
共通モジュールＣＭ内部のデータ複製デバイスｅ）が、能動アンテナ無線機ごとのダウンリンク（ＤＬ）データ・ストリームを複製し、その振幅及び位相を個々に調節するように適合され、プロセッサｆ）が、個々の能動アンテナ無線機から受信されたＩＱデータ・ストリームを取り込み、各々の受信されたＩＱデータ・ストリームの位相及び電力を個別に調節し、それらの結合されたデータ・ストリームを個々のデータ・ストリームのベクトル和として形成するように適合される。
【００３０】
共通モジュールＣＭはまた、試験及び開発目的のために、いずれかのコンピュータ・ベースのシステムへのローカル接続のためのコネクタ（ここでは図示せず）を有することもできる。このコネクタは、ＵＳＢ、イーサネット、又は任意のシリアル・インターフェースのいずれによっても実装することができる。この目的のためには、イーサネットが好ましいバスである。
【００３１】
上述の構成要素は、試験対象アンテナの外部に設けられる。これらの構成要素は、各々の測定点における相対位相を送受信の両方において検出できるように、信号の相対電力及び相対位相を測定し、それらを商用の近傍界測定システムの制御部及びＲＦインターフェースに接続する。
【００３２】
図３は、上述の装置を組み込んだ測定システムを示す。共通モジュールＣＭ及び付加的な較正無線機Ｒｃａｌが、試験対象の能動アンテナ構成Ａ、商用の近傍界試験システムの制御ユニットＣＵ、及び商用の近傍界試験システムのスキャナ・リングＳのＲＦインターフェースに接続される。この構成においては、本発明による測定装置（外部の較正無線機Ｒｃａｌ及び外部の共通モジュールＣＭ）が、受動アンテナに用いられるネットワーク・アナライザに取って代わる。測定装置内の外部共通モジュールＣＭが、受信又は送信されるＲＦ信号のデジタルＩＱデータ・イメージを伝達するインターフェース、例えばＲＰ３−０１インターフェースを用いて、試験対象の能動アンテナＡに接続される。ＲＰ３−０１インターフェースはまた、測定装置内の共通モジュールＣＭと能動アンテナＡ内の共通モジュールとの間で全てのＯ＆Ｍデータを伝達する。Ｏ＆Ｍデータは、全てのコマンドと、受信確認応答と、必要な場合にはまた測定結果とを含む。
【００３３】
測定手続は、以下のように行われる（示されるインターフェースＲＰ３−０１はまた、いずれかの他のＲＦ−ＢＢバスに置き換えることもできる）。
【００３４】
通常ＢＴＳ内の基底帯域処理ユニットに接続される試験対象の能動アンテナＡのインターフェースＲＰ３−０１は、まず、測定装置の外部の共通モジュールＣＭのＲＰ３−０１インターフェースのうちの１つに接続される。このインターフェースＲＰ３−０１は、外部の共通モジュールＣＭの構成に応じて、ＢＢ側又は無線機側のどちらかのインターフェースとすることができる。この接続の目的は、測定装置の外部の共通モジュールＣＭと能動アンテナＡ内部の共通モジュールとの間にＯ＆Ｍ及びＲＦ−ＢＢ両方のＩＱデータ・リンクを確立することである。外部の共通モジュールＣＭには、能動アンテナ内部の共通モジュールと通信し、近傍界試験システム制御ユニットとも通信するための特化されたＳＷ及びファームウェアが提供される。アンテナＡの内部の共通モジュールは、事実上、通常の能動アンテナの動作と同じように動作する。アンテナＡの内部の共通モジュールはまず、能動アンテナにより生成される放射パターンが要求通りであることを保証するために必要とされる較正手続を実行する。この場合、内部の共通モジュールには、外部の共通モジュールＣＭがそれに命令することが可能な測定モードが与えられる。この測定モードにおいて、アンテナ内部の共通モジュールは、基底帯域処理ユニットにおける基底帯域処理からのデータを必要とせず、受送信される信号として較正信号を使用し、外部の共通モジュールＣＭとも十分に通信することができる。
【００３５】
測定装置内の共通モジュールＣＭが標準的な較正ルーチンを実行した後、両方の共通モジュール（測定装置内の共通モジュールＣＭ及び能動アンテナ構成Ａ内部の共通モジュール）は、ＩＱデータをそれぞれの送信機に送り始める：即ち、内部の共通モジュールは、較正において検証されたタイミング・パターンにより、データを能動アンテナ構成内の全ての無線機に送り、外部の共通モジュールＣＭは、それぞれの較正無線機Ｒｃａｌに送る。同時に、外部の共通モジュールＣＭは、能動アンテナ構成内の全ての能動アンテナ受信機からＩＱデータの受信を開始し、外部のＣＭは、それ自体の較正無線機Ｒｃａｌからの受信を開始する。これにより、アップリンク較正及びダウンリンク較正を同時に行うことが可能になる。能動アンテナ構成Ａ内の無線機は、所定の位相及び電力のパターンに従って通常の動作におけるように動作する、即ち、これらが所望の放射パターンに特有である照射関数を表示するように動作する。近傍界システムの制御ユニットは、放射パターンを選択し、それを測定装置内の外部の共通モジュールＣＭを介して、能動アンテナ構成Ａ内の内部の共通ユニットに命令する。
【００３６】
全ての必要なデータ・リンクが確立され、試験対象の能動アンテナ構成Ａが通常の使用におけるように動作しているときに、測定手続を開始することができる。測定システムの制御ユニットは、スキャナ（検出器）リングＳ（スキャナ・リングＳは、６４個までの選択可能な参照アンテナを含むことができる）の正しい参照アンテナ要素ＲＡを選択すること、若しくは試験対象の能動アンテナ構成Ａを物理的に移動／回転させること、若しくは参照アンテナＲＡを移動させること、又は上記の手続のうちの１つより多くをシステムに特有の方法で実行することによって、その位置決めシステムを用いて所望の測定点を選択する。
【００３７】
各々の測定点において、外部のＣＭは、内部の共通モジュール内の信号生成器により生成されて、内部のＣＭと能動アンテナ構成Ａ内部の無線機との間のインターフェースにより各々の無線機に配信された試験信号を受信する。個々の無線機からの信号は、アンテナ試験システムの参照アンテナと能動アンテナ構成の無線機特有のアンテナとの間で空中において結合される。この結合された信号は、測定点において、照射関数の明確に定められた値を形成する。インターフェースａ）及び２つの共通モジュール間のデータ・リンクは同じタイプのものであり、かつ、これらは同期式であり、送信端と受信端の両方において同一のタイミングを維持できるため、能動アンテナＡ内の内部の共通モジュールと測定装置内に設けられた外部の共通モジュールＣＭの両方の間のタイミングを、比較器ｄ）による相対無線信号位相測定のために十分な精度を有した状態で固定することが可能である。この信号は、放射パターン測定のための正しい参照である送信された無線信号の全体を表すので、外部の共通モジュールＣＭ内の比較器ｄ）は、該信号を、信号生成器ｂ）により生成された時のまま、能動アンテナＡ内部にある共通モジュールのデータ複製デバイスｅ）により形成される前に、信号生成器ｂ）により生成されたときの状態で比較する。
【００３８】
相対電力もまた、比較器ｄ）により測定することができる。比較器ｄ）内の必要な位相ロックは、照射関数の全ての必要な点を測定するのに十分長い時間維持することができる。必要な位相ロックが維持できることは、能動アンテナ構成Ａの基本機能要件からもたらすことができる。区別され、比較される２つの異なる信号を含む単一の信号ストリームではなく、互いに比較される２つの別個のデータ・ストリームが存在するため、相対電力を測定するのに、比較器ｄ）は比較器ｃ）よりも優れている。
【００３９】
全ての点が測定された後、各点の相対電力及び相対位相の値を、アンテナ試験システムの制御ユニットに通信することができ、制御ユニットは送信における放射パターンを計算することができる。
【００４０】
送信における放射パターンが測定された後、アンテナＡの外部にある測定装置内の共通モジュールＣＭの役割と能動アンテナＡ内部の共通モジュールの役割が逆にされ、受信における放射パターンが測定される。
【００４１】
外部の共通モジュールＣＭは、信号生成器ｂ）を用いて試験信号ベクトルの生成を開始し、試験信号ベクトルを、近傍界試験システムの（選択された）参照アンテナを通して送信され、能動アンテナ構成内の個々の無線機により受信されるように、それぞれの較正無線機Ｒｃａｌに配信する。
【００４２】
参照アンテナと能動アンテナ構成Ａ内の個々の無線機特有アンテナとの間のその信号の伝播は、送信における伝播の逆になる。その同じ信号が、能動アンテナＡの内部にある共通モジュールにも複製され、測定装置内の外部の共通モジュールＣＭにより受送信される信号の位相精度及びアンテナＡ内のそれが、送信における測定におけるものと同じ原理に従って維持される。
【００４３】
能動アンテナ構成Ａの個々の無線機はそれぞれ、参照アンテナにより個別に送信される信号を受信する。データ処理デバイスｆ）は、受信した個々の信号を結合し、その結果物各々の放射パターンの特色を示す全体の信号を表すようにする。全体の信号は、外部の共通モジュールＣＭにより生成される信号との相対的比較のための正しい電力及び位相の参照である。この比較は、比較器ｄ）により、能動アンテナＡの内部にある共通モジュールにおいて行われ、結果は、共通モジュール間のＲＦ−ＢＢバスを介して外部ＣＭに送られる。
【００４４】
全ての点が測定されると、各点の相対電力及び相対位相の値がアンテナ試験システムの制御ユニットに通信され、制御ユニットが受信における放射パターンを計算することができる。
【００４５】
このように、能動アンテナの放射パターンが、送受信の両方において解明される。試験対象の能動アンテナ及びその特定の放射パターンを有するターゲット放射パターンへの参照データを測定結果ファイルに付加することができ、これをアーカイブに入れることができる。さらに、ターゲット放射パターンと測定された放射パターンとの間の差を計算することができる。次いで、同じ能動アンテナについて別のターゲット放射パターンで測定を繰り返すことができる。
【００４６】
本発明を特定の実施形態を参照して上に説明してきたが、本発明は、これらの実施形態に限定されるものではなく、特許請求される本発明の範囲内に入る当業者には更なる代替案を思い付くであろうことは疑いない。
【符号の説明】
【００４７】
Ａ：能動アンテナ構成
ＣＭ：共通モジュール
Ｒｃａｌ：較正無線機
ａ：マルチプレクサ・デマルチプレクサ・スイッチ
ｂ：信号生成器
ｃ、ｄ：比較器
ｅ：データ複製デバイス
ｆ：プロセッサ（データ処理デバイス）
ＣＵ：制御ユニット
Ｓ：スキャナ・リング
ＲＡ：参照アンテナ
【図１】
2013530381.tif 000003
【図２】
2013530381.tif 000004
【図３】
2013530381.tif 000005
【国際調査報告】
2013530381.tif 000006
2013530381.tif 000007